(57)【特許請求の範囲】
【請求項１】
外側シェル（３）と内側スライド（２）とを有する喫煙物品用の直方体形状の箱であって；
内側スライド（２）が、頂部壁と頂部エッジで頂部壁（７）に結合した小さい方の側壁（７０）とを有し、該小さい方の側壁（７０）が、上部壁部分（１２１）及び下部壁部分（１２２）そしてこの上部壁部分（１２１）と下部壁部分（１２２）との間の折り返し線（５２、７２）を有し、該小さい方の側壁の少なくとも一部が少なくとも二重層厚み（５０、７０）の折り返し層を形成し、該上部壁部分（１２１）及び頂部壁の少なくとも一部（９２）が折り返し線（５２、７２）に沿って蝶番式に動くふた（４）を形成し；
内側スライドが更に前記側壁の二重層の外側の層（７０）から形成された舌部（７６）を有し、該舌部の上端部が、折り返し線（７２）より上の取り付け位置（７５）で上部壁部分、及び舌部の下部端部のフック（７８）に取り付けられており；
外側シェル（３）が小さい方のスライド側壁（７０）に隣接した小さい方のシェル壁（１５０、１６０）を含み、フック（７８）と取り外し可能に係合できる係合部分（１５１、１６１）を有し；
内側スライドが外側シェルに対して移動可能であり、フック（７８）が上方移動により係合部分（１５１、１６１）と係合し、それにより折り返し線（５２、７２）に沿ってふたが蝶番方式で開くことを特徴とする喫煙物品用箱。
【請求項２】
舌部（７６）が側壁の層の外側層の材料と一体的に形成されている請求項１に記載の喫煙物品用箱。
【請求項３】
フック（７９）と舌部（７６）が側壁の層の外側層の材料と一体的に形成されている請求項１に記載の喫煙物品用箱。
【請求項４】
係合部分がシェルの小さい方の壁（１５０）の頂部エッジの内方及び下方に折り返されたタブ（１５９）である請求項１乃至３のいずれかの項に記載の喫煙物品用箱。
【請求項５】
シェルの各小さい方の側壁（１５０、１６０）の頂部エッジにタブ（１５９、１６１）を有する請求項４に記載の喫煙物品用箱。
【請求項６】
舌部（７６）が層の内側層（５０）の自由端により結ばれた層のエッジから一定の距離にある外側層（１２２）の部分である請求項１乃至５のいずれかの項に記載の喫煙物品用箱。
【請求項７】
舌部（７６）の一つのエッジが層の外側層（７０）の一つのエッジと一致している請求項１乃至６のいずれかの項に記載の喫煙物品用箱。
【請求項８】
シェルが部分的に開いた底端部を有し、開口がシェルの隣接する面間にガセット（１５２、１６２）により区画されている請求項１乃至７のいずれかの項に記載の喫煙物品用箱。
【請求項９】
各ガセット（１５２、１６２）が三角形状で、折り返し線（１５５、１６５）により二つに分かれている請求項８に記載の喫煙物品用箱。
【請求項１０】
外側シェルが複数の貫通孔を有し、内側スライドが該シェルの貫通孔に隣接してスライド可能な表面上に印を有し、シェルに対してスライドの少なくとも一つの位置が貫通孔で印の配列を与え、その貫通孔の位置で印が貫通孔を通して見ることができる認識可能な表示を与えている請求項１乃至９のいずれかの項に記載の喫煙物品用箱。
【発明の詳細な説明】
【０００１】
【発明の属する技術分野】
本発明は喫煙物品用箱に関する。特に内側スライドと外側シェル（以下、スライド−シェル箱と称する）を有するに喫煙物品用箱に関する。
【０００２】
【従来の技術】
シガレットのような喫煙物品用のスライド−シェル箱は、喫煙物品が、使用者が喫煙物品を取り出すために外側シェルに対してスライドさせて動かす内側シェルの中に収められている点で従来の蝶番ふたの箱とは異なっている。スライド−シェル箱の中にはシェル内のスライドの移動により作動するふた開け機構を有するものもある。
【０００３】
従来技術に記載されているスライド−シェル箱用のふた開け機構は、内側スライドがシェルに対して移動するにつれてふたが蝶番方式で開くという内側スライドのふたと外側シェルとの間に結合部を有するタイプのものが殆どである。結合部は固定しても（それが典型的に接着剤からなる場合に）、あるいは外側シェルと内側スライド上の各々パーツの間に機械的係合によってもよい。ここでは、機械的係合によるふた開け機構に関する。
【０００４】
ＣＨ−Ａ−５９８０６１は、従来の矩形断面の直方体形状のスライド−シェル箱を記載している。このスライドは、頂部壁とスライドの後部側壁の上部部分を含むふたを有している。ふたは後部側壁の上部部分の下部エッジに折り返し線に沿うスライドの残りの部分に蝶番式で取り付けられている。舌部がふたの頂部エッジから張り出し、その頂部壁は後部側壁に接している。舌部はフックを形成するために下部部分で上方向及び外側方向に折り返されている。外側シェルは、内側スライドが外側シェル内で所定の量外側方向に移動させられるとフックと係合する上部エッジで内方に折り返されたフラップを有している。このことは、舌部にふたの頂部エッジ上でてこ作用を生じさせ、それによりスライドが上方向に動きつづけるにつれて、ふたが開くように蝶番式に作動する。
【０００５】
このふた開け機構の構成は比較的単純であるが、ふたが蝶番式で開き、舌部がふたの頂部エッジで旋回すると、後部側壁に目立たないがわずかな隙間が形成されるという点で不都合である。
【０００６】
ＵＳ−Ａ−４６４６９６０は、舌部がふたの後部エッジからその一端が飛び出しているという点でのみＣＨ−Ａ−５９８０６１とは異なった別バージョンのフック及びフラップふた開け機構を有するスライド−シェル箱を示唆している。舌部の材料が後部壁から切断されているところで隙間がまた残されている。
【０００７】
ＵＳ−Ａ−３９３３２９は、箱の後部にまたフック及びフラップふた開け機構を有する別の直方体形状のスライド−シェル箱を記載している。上述の不利な点は、ふたの延長上にフックを設けることで回避されている。この延長は、ふたの前方の唇部から内側スライドの後部側壁まで二重に支持されている。延長によって後部側壁に材料の第二の外側層が設けられる。この外側厚みのみから形成されているフックは、隙間のない壁に隣接した位置にある（即ち、内側層）。
【０００８】
ＵＳ−３９３３２９９は、内側スライドに隙間の形成を回避する方法を示しているが、延長部分を製造するために特別に箱材料を消費するという重大な不利益がある。
【０００９】
【発明が解決しようとする課題】
本発明は、上記不利な点を克服することである。
【００１０】
【課題を解決するための手段】
本発明の第一の態様は、外側シェル（３）と内側スライド（２）とを有する喫煙物品用の直方体形状の箱であって；
内側スライド（２）が、頂部壁と頂部エッジの頂部壁（７）に結合した小さい方の側壁（７０）とを有し、該小さい方の側壁（７０）が、上部壁部分（１２１）及び下部壁部分（１２２）そしてこの上部壁部分（１２１）と下部壁部分（１２２）との間の折り返し線（５２、７２）を有し、該小さい方の側壁の少なくとも一部が少なくとも二重層厚み（５０、７０）の折り返し層を形成し、該上部壁部分（１２１）及び頂部壁の少なくとも一部（９２）が折り返し線（５２、７２）に沿って蝶番式に動くふた（４）を形成し；
内側スライドが更に箱のより小さい寸法の中に層の外側層（７０）から形成された舌部（７６）を有し、該舌部の上端部が折り返し線（７２）上の取り付け位置（７５）で上部壁部分、及び舌部の下部端部のフック（７８）に取り付けられており；
外側シェル（３）が小さい方のスライド側壁（７０）に隣接した小さい方のシェル壁（１５０、１６０）を含み、フック（７８）と取り外し可能に係合できる係合手段（１５１、１６１）を有し；
内側スライドが外側シェルに対して移動可能であり、フック（７８）が上方移動により係合手段（１５１、１６１）と係合し、それにより折り返し線（５２、７２）に沿ってふたが蝶番方式で開くことを特徴とする喫煙物品用箱にある。
【００１１】
舌部は通常側壁の沿う外側層の材料と一体に形成されていることが好ましい。例えば、舌部は、１/２あるいは１/３のようなより小さい寸法の部分のみを占めることが好ましい。
ＵＳ−Ａ―４６４９６０及びＣＨ−５９８０６１に記載されている箱とは異なり、本発明の箱では、重ね折りの層の内側層により、ふたが蝶番式で開いたときに舌部の下のスライドの壁に隙間の形成が防止される。しかし、通常二重の層は、舌部がそこから形成されているので、折り返した半製品からのスライドの組み立てにおいては必須要素である。従って、ＵＳ−３９３３２９９及びＵＳ−４６４６９６０と比較てして、スライドの製造においては別の箱材料は消費される必要はない。
【００１２】
係合部分の他の形状を排除しているわけではないけれども、シェルの係合部分は、小さい方のシェル壁の頂部エッジに結合する内側の、下方に延びたフラップとして従来法で形成されていてもよい。第一の側壁に対向する第二の側壁を有するシェルにおいては、第二の係合部分は、スライドが二つの方向のいずれかにシェル内に挿入されることができるように第二の小さい方のシェル壁に形成されていることが好ましい。舌部は、折り重ねた層の外側層の部分から形成されており、その部分は、折り重ねた層の内側層の自由端によって結ばれた該折り重ねた層のエッジから一定の距離にあることが好ましい。その結果、舌部は、内側層の完全に連続した部分によって下に位置される。また舌部の一つのエッジは外側壁の一つのエッジと一致していることが好ましい。箱は、それゆえより強く、より目を引くものになる。
【００１３】
典型的には、ふたは、頂部壁の部分、小さい方の側壁の上部壁部分、及びスライドの対向する大きい方の側壁の対向する部分を含んでいる。しかし、他のふたの形態を排除しているわけではない。
小さい方の側壁で蝶番式で動くふたの利点は、頂部壁の部分のみを含むが、全ての頂部壁、四つの大きい方と小さい方の側壁の全てを含み、従来の蝶番式で動くふたを示す例えば、ＣＨ−Ａ―５９８０６１、ＵＳ−３９３３２９９、及びＵＳ−４６４６９６０に比較して、ふたの構成をより軽くすることができる。それゆえ、フックと係合部分の機構は、強固ではなくなるかもしれない。また唇部は、ふた内に含まれる頂部壁の部分に延長部分を設けることで簡単にふたに設けても良い。この延長部分はふたに含まれない頂部壁の隣接部分上に部分的に重なり合っていても良い。頂部壁は、材料の二重の層から通常作られているから、これは必然的に無駄にならない。
【００１４】
また本発明の第二の態様は、外側シェル（３）と内側スライド（２）とを有する喫煙物品用箱であって、外側シェルが、スライドの底に接触できる部分的な底壁と内側スライドのガイドチューブを形成する実質的に平行な複数の側壁を有し；
底壁が、その各底エッジに沿った側壁の隣の少なくとも二つの部分に結合するガセット（１５２、１６２）により形成されており、隣接する側壁を含む平面が角度を形成し、およびガセットが、該角度の頂点方向に向う折り返し線（１５５、１６５）を有し、
蝶番線でのガセットの折り返しにより、内側スライドがないときに、外側シェルを平面的に折り返しでき、及びガセットを広げることにより、外側シェルを再び組み立てることができることを特徴とする喫煙物品用箱にある。
【００１５】
ガセットは三角形で、シェルは直方体形状であることが好ましい。勿論、本発明のこの態様のシェルは本発明のスライド−シェル箱のシェルであっても良い。いずれの態様の外側シェルも複数の貫通孔を有しても良いし、内側スライドはシェルの貫通孔に隣接してスライド可能な表面上に印を有しており、シェルに対してスライドの少なくとも一つの位置が貫通孔で印の配列を与え、その位置で印は、貫通孔を通して見ることができ、認識可能な表示を与える。
【００１６】
【発明の実施の形態】
図１は直方体形状のスライド−シェル箱のスライド２を形成するための半製品１を示す。半製品の実線は切断線を示す。破線は折り返し線を示す。半製品１のパーツは、便宜上、それらが形成されるスライドのパーツを参照することで説明されている。
【００１７】
図３は、スライド−シェル箱の側面図である。スライドは立てた状態にあり、部分的に見ることができる。破線はシェル３によって隠れた側面の外観を示す。ふた４は開いた位置にあることを示す。
【００１８】
半製品１は、矩形底壁１０を有し、各矩形の大きい方のパネル２０及び３０の短辺縁にその長辺縁で同一の広がりを持っている。大きい方のパネルの他方の短辺縁は矩形頂部パネル８０及び９０の各長辺側に同一の広がりを持っている。半製品からのスライドの形成工程で、頂部パネル９０は、頂部パネル８０に重ね、固定されてスライドの頂部壁を形成する。大きい方のパネル２０及び３０は、矩形の細長いサイドフラップ（側面折り返し片）４０、５０、６０及び７０でそれらの長辺縁に沿って同一の広がりを持っている。大きい方のパネル３０の細長いサイドフラップ６０及び７０は（折り返し線の回りで半製品を折り曲げると）、スライドの側壁１１０及び１２０となる二重の折り重ね層の外側層を与えている。一方、大きい方のパネル２０の細長いサイドフラップ４０及び５０は、折り重ね層の内側層を与えている。耳部６１、７１は、スライドがはめ込まれるシェルの側壁とより大きな摩擦係合を与えるために大きい方のパネル３０から突出している。
【００１９】
側壁の内側層の形成に使用される細長いサイドフラップ４０、５０は、それらの底部エッジで底タブ４１、５１で同じ広がりを有している。スライドの形成工程で底タブは、細長いフラップ４０、５０と共有する境界線で折り曲げられ、底壁１０の内側に接着されるか、あるいはその他のもので固定される。細長いフラップ４０、５０は、また頂部タブ４３、５３にそれらの頂部エッジで同じ広がりを有している。スライドの形成工程で頂部タブは、細長いフラップ４０、５０と共有する境界線で折り曲げられ、頂部パネル８０、９０によって形成される頂部壁の内側に接着されるか、あるいはその他のもので固定される。
【００２０】
小さい方の側壁１２０(図３)を形成するために使用される細長いフラップ５０、７０は、それぞれ折り返し線５２、７２が設けられている。完成した小さい方の側壁では、折り返し線５２、７２は互いに直接隣接してあり、両方の折り返し線は小さい方の側壁の長さ方向に対して実質的に垂直になる。小さい方の側壁はそれゆえ、折り返し線５２、７２により上部壁部分１２１と下部壁部分１２２に分けられ、折り返し線５２、７２は、組み合わせることでスライドのふた４が旋回して開くように蝶番１２３を与えている。
【００２１】
スライドのふた４は、上部壁部分１２１、上部壁部分に隣接する頂部壁の矩形部９２、及び大きい方のパネル２０、３０の対向する三角形状部分２１、３１からなる。これを達成するために、半製品は各折り返し線５２、７２の端部に始まり、各大きい方の側壁２０、３０から三角形パネル２１、３１を仕切る切断線１００、１０１を有し、各々頂部パネル８０、９０を二つの部分に分けている。頂部パネル８０、９０のパーツ８１、９１は、共に面と面で接着してふたの内側及び外側層を形成する。外側パーツ９１は、内側パーツ８１より長く、唇状部分９３をもつふたを与える。パネル８０、９０の残りの部分８４、９４はまた共にタブ４３の外側で固定されて、スライドの部分的に固定した頂部壁である。９４の部分より長い８４の部分によって単一の厚みの唇状部分９３の場所を与えている。
【００２２】
切断線７４は、細長いフラップ７０の垂直な中央線に沿って途中まで延びている。底壁１０に近い線の端部では、切断線はフラップのエッジに結合している。その他方の端部では、切断線はパネル中で終わり、折り返し線７５がその終点からパネルのエッジまで延びている。折り返し線７５は、平行で折り返し線７２の上にあり、従って舌部７６は、完成したスライドの中にふたの蝶番１２３を形成する組み合わせた折り返し線５２、７２上の側壁１２０に一体的に取り付けらるように設けられる。
【００２３】
舌部７６はそれゆえそれ自身が側壁１２０を形成する折り重ねた層の外側層のみから形成される。折り重ねた層は半製品１からスライド２を組み立てる際の必須要素であり、それで舌部は無駄なく設けられている。また舌部の組み立ては、半製品内で作られる単純な切断と折り返しのみを必要とし、そして舌部となっているので折り重ねた層の巾の一部分のみはその下に内側のフラップ５０により形成される壁を常に有している。
【００２４】
細長いフラップ５０のハッチ領域５４は、舌部７６のすぐ下であるが、舌部が接着されてない折り重ねた層の内側層の領域を形成するその部分を示している。半製品１からのスライドの組み立て工程では、舌部７６と領域５４との間には重ねた層を形成するために使用される接着剤を設けないことが確かに必要である。大きい方のパネル３０と細長いフラップ７０との間の境界から舌部を一定の距離放すことにより、前述のように、ふた４が開く状態に移動したとき口を大きく開く舌部により形成される開口のエッジの下に完全に連続壁を与えるようにすることができることは明らかである。
【００２５】
しかし、好ましくはないが、細長いフラップ７０の全巾から舌部を形成することができる。しかしもしこのことが行われると、細長いフラップ５０のエッジは領域５４の中に導入されることになるであろう。このことは、上述した一定の距離を置くこと及び特定の位置に置くということを適用することで避けられる。
【００２６】
本態様では、舌部７６は細長いフラップ７０の半分の巾を占める。これは、実際的であり、興味を引くものであるが、他の形態、フラップ５０の端部を領域５４の中に導入しないようにすることも可能である。例えば、舌部は１/３や１/４のような巾のより小さい区画を占めるようしてもよいし、あるいは巾の部分であるが細長いフラップ７０に対して中央に位置しないような部分を占めるようにすることもできる。
【００２７】
更に折り返し線７７は、舌部の端部７８がフック７９（図６）を形成するように上方向及び外側方向に折り曲げられることができるように舌部７６の自由端の方向に設けられている。
【００２８】
図２は、スライド−シェル箱のシェル３を形成するための半製品５を示す。実線はまた半製品の切断線を示し、破線は、折り返し線を示し、半製品のパーツはそれらが形成されるシェルのパーツを参照することで説明されている。半製品５は、二つの大きい方のシェルパネル１３０、１４０からなり、長辺縁で矩形の小さい方のシェルパネル１５０の長い方の縁と同一の広がりを有している。大きい方のシェル壁の他方の長辺縁は矩形の細長いフラップ１６０、１７０の長辺縁で同一の広がりを有している。シェルを形成するために、シェルパネル１３０、１４０、１５０、細長いパネル１６０、１７０は、それらの相互の境界線のある折り返し線で折り曲げられ、細長いフラップは重ねて置かれ、互いに接着される。接着された細長いフラップ１６０、１７０は、それにより別の矩形の小さい方のシェルパネル１８０を与える。
【００２９】
半製品は、また各々シェルパネル１５０及び細長いフラップ１６０の上部短辺縁と同一の広がりを有するフラップ１５１、１６１が含まれている。完成されたシェルでは、フラップ１５１、１６１は、それらの上部短辺縁の回りで１８０°内方に折り曲げられ、スライドのフックのための二つの係合部分を与える。各小さい方のシェルパネルはフラップを有するが、フックへの係合をなお行いながらスライドをどちらにもシェルの中に挿入することができる。シェルパネル１５０、細長いフラップ１６０の下部短辺縁に隣接して各々ガセット１５２、１６２がある。ガセットパネルはその下部短辺縁で同じ広がりの端部を有している。ガセットパネルはまたそのおの延長部１５３、１６３を有し、これらは、完成したシェルでは、それらのパネルの下部端部と同一面となる、折り返し線１５７、１６７を有する大きい方のパネル１３０、１４０の内側に接着される。
【００３０】
図４は、図２の半製品から形成されるシェルを底から見た図を示す。ガセットパネル１５２、１６２は、スライドの底が使用者の指により作動され、上方に押し上げられるようなアクセス孔１９０と共に、二つのガセット１５４、１６４からなる部分的な底壁を与えている。各ガセットは、隣接するシェル壁により形成される角度の頂点に向う折り返し線１５５、１６５を有している。スライドのないときは、シェルはそれゆえガセットがそれらの各々の折り返し線で曲げることができるのでその組み合わせた状態では平面で折り曲げられる。
【００３１】
シェルパネル１３０、１４０、１５０は、スライドの対応する表面上の印（図示せず）を見ることができ、認識可能な表示とするために複数の円形貫通孔１９５の列を有している。列は、この態様で四角であるが、勿論、実際的あるいは美的要求に従って他の形にすることができる。印は例えば、貫通孔を通して直接見ることができる番号や文字でよい。しかし、他に色や影の抽象的なパターンの中に表示を隠すようにすることも可能である。印（即ち、パターン）は、シェル内にあるスライドの予め予定した位置に目立ちそして意外性のある表示（例えば、“Ｘ’”の形の貫通孔の配列、全ての貫通孔の配列が同じ色やトーンを有するあるパターンを表示している）を設けてもよい。異なった相対的なスライド位置が異なったパターンやメッセージを示しても良い。
【００３２】
図５は、直方体状に包装された一箱分のシガレット７を巻くための、スライド２内で支持されるシート６を示す。シート６は矩形の金属箔−紙のラミネートであり、二つの四角形のコーナー部分２００、２１０を有している。スライド２の中で完全な包装がされている場合、それらのコーナーはふた４に隣接する包装部分に位置する。コーナー部分２００、２１０はミシン目線２０１、２１１に沿って包装の残りと切り離すことができる。ふたを開け、コーナー部分を除去することにより箱内のシガレットに到達できる様に手段が設けられている。あるいは例えば、従来の紙の箱のように包みが開閉できる封筒で設けられていても良い。
【００３３】
図６は、スライド２をシェル３に対して上方に押し上げた操作状態に或る箱を示し、フック７９が下方に折り曲げられたフラップ１５１によって設けられた係合部分１５９に引っかかっている。スライドとシェルの上方部分のみを示し、隠れた部分は破線で輪郭が示されている。フック７９に固定された舌部７６は、蝶番で旋回してふたが開くようにふたに対しててこを作用させる。スライドの上方の移動に伴ってふたがさらに開き、包装したシガレット７が更に現れる。このてこを設けることで舌部は細長いパネル７０の隣接部分から離れており（即ち、側壁１２０を形成する重ね層の外側層）、隙間がフラップ７０に形成され、それにより細長いパネル５０(即ち、重ね層の内側層)の領域５４が露出する。
【００３４】
スライドの上方への移動は、結局、使用者が、ａ）ふたが充分に開くように具現化すること、及びｂ）折り返し線７７でのフックの基準が、切断線７４からフックを折り返したことによる細長いフラップ７０にある突出端部に合うようにすることよって停止される(フックはシェルパネル１５０の内方への圧力とフラップ１５１及び１６１の弾性により細長いフラップ５０の隣接領域５４に無理に置かれている)。他の態様では、フックの自由端は、勿論、それらの寸法や位置の適当な調整と共に、各場合での開いた位置を決めるために、フラップ７０が折り曲げられた折り返し線、あるいはフックとフラップの自由端が接触できるような折り返し線に合わせることができる。
【００３５】
ふたが開くと、利用者は簡単にミシン目２０１及び２１１をシガレットを取り出せるように包みの角部分２００、２１０を引きちぎり、捨てることができる。箱を閉じるには、使用者は、パネル９０の部分９４を押し下げると、スライドはシェルの中に引っ込み始める。スライド材料の本来の弾性によって、少なくとも部分的にふたを閉じる斜め方向の力が生じる。また舌部の外側表面上にシェルパネル１５０の内側表面によって生じた圧力と摩擦によって更に斜め方向の力が加えられる。結局、上部壁部分１２１がスライドの中に引き込み始め、シェルパネル１５０は、ふたが閉じるように直接ふたに作用する。
【００３６】
シェルを折りたたむことを望まないなら、折り畳むことができない端壁であってもよい。しかし、端壁が使用者が指や親指でスライドを押すことができるように隙間をもつようにすべきである。スライドは、シェルとそのはめ具合をぴったりとさせるために主に大きい方の表面上にカードの別の層が備えられていても良い。これは、別に加えるか、あるいはスライド上の耳部（６１、７１）の代わりであっても良い。カードは、スライドの側壁に渡って延びていても良いし、シェルと係合するためにそれ自体耳部を与えても良い。
【図面の簡単な説明】
【図１】  直方体形状のスライド−シェル箱のスライドを形成するための半製品を示す。
【図２】  直方体形状のスライド−シェル箱のシェルを形成するための半製品を示す。
【図３】  図１及び図２の半製品から形成されるスライド−シェル箱の側面模式図であり、スライドがシェルに対して立てた状態にあり、ふたが開いた位置にある。
【図４】  図２の半製品から形成されるシェルを底から見た図を示す。
【図５】  スライド内に保持され、直方体形状に包装された一箱分のシガレットを形成するためのシートを示す。
【図６】  操作状態にある箱のスライドとシェルの部分的な透視図を示す。
【図１】
0004271861.tif 000002
【図２】
0004271861.tif 000003
【図３】
0004271861.tif 000004
【図４】
0004271861.tif 000005
【図６】
0004271861.tif 000006
【図５】
0004271861.tif 000007